(57)【要約】Ｘ線管は、ハウジング１０内の、陰極１２の形態の電子源及び陽極１４を備える。陽極１４は薄膜陽極であるため、陽極１４と相互作用してＸ線を生成しない電子のほとんどは、陽極１４を直接通過する。Ｘ線は、陽極１４の真後ろにある第１窓１６又は陽極の一方の側にある第２窓１８を通して収集されることができる。減速電極２０は、陽極４の後ろに位置し、陽極１４に対しては負であり、且つ、陰極１２に対してはわずかに正である電位に保持される。この減速電極２０は、電子が減速電極と相互作用する時に電子が比較的低いエネルギーにあるように、陽極１４を通過する電子を減速させる電界を生成する。これにより、管に対する熱負荷が低減する。
2006524891.tif 000002
【特許請求の範囲】
【請求項１】
電子源を設けるように構成される陰極と、該陰極に対して正電位に保持される陽極と、減速電極とを備えた透過型ターゲットＸ線管であって、前記陽極には陰極からの電子が衝当して加速しそれによってＸ線が生成され、前記陽極は薄膜であり、前記減速電極は前記陽極に対して負電位に保持され、それによって、前記陽極と該減速電極の間に電界が生成され、該電界は、前記陽極を通過した電子を減速させ、それによって、前記電子が管内で生成し得る熱量を減少させ、前記減速電極は前記陽極に対して前記陰極とは反対側に位置する透過型ターゲットＸ線管。
【請求項２】
前記減速電極は前記陰極に対して正電位に保持される請求項１に記載の透過型ターゲットＸ線管。
【請求項３】
前記減速電極は導電性材料にて形成されている請求項１又は２に記載の透過型ターゲットＸ線管。
【請求項４】
前記減速電極は、該減速電極によって収集される電子が、前記減速電極から伝導することができるように電気回路の一部を形成し、それによって、前記減速電極の電位をほぼ一定に維持する、請求項１乃至３のいずれか１項に記載の透過型ターゲットＸ線管。
【請求項５】
前記減速電極は、抵抗器を介して前記陽極に電気接続され、前記抵抗器を通って流れる電流が、前記陽極に対する前記減速電極の電位を決定する、請求項４に記載の透過型ターゲットＸ線管。
【請求項６】
前記陽極及び前記陰極を閉囲するハウジングが設けられ、該ハウジングの少なくとも一部が前記減速電極を形成する、請求項１乃至５のいずれか１項に記載の透過型ターゲットＸ線管。
【請求項７】
ハウジングをさらに備え、前記減速電極は、前記陽極と該ハウジングの間に位置し、それによって、電子が前記ハウジングに達する前に該電子を減速させる、請求項１〜５のいずれか１項に記載の透過型ターゲットＸ線管。
【請求項８】
前記陽極は、該陽極より小さい原子番号の裏材層上に支持される、請求項１乃至７のいずれか１項に記載の透過型ターゲットＸ線管。
【請求項９】
前記陽極は、約５ミクロン以下の厚みを有する、請求項１乃至８のいずれか１項に記載の透過型ターゲットＸ線管。
【請求項１０】
Ｘ線が放出されるべき窓が画成され、前記減速電極は前記陽極と前記窓の間に延び、前記窓を通過したＸ線が前記減速電極を通過する、請求項１乃至９のいずれか１項に記載の透過型ターゲットＸ線管。
【請求項１１】
前記陽極は、ピークエネルギーを含むエネルギー範囲を有するＸ線を生成するように構成され、前記減速電極は、Ｘ線エネルギーによって変わり、且つ最小減衰エネルギーの周りに最小値を有するＸ線減衰を有し、前記減速電極材料は、前記最小減衰エネルギーが前記ピークエネルギーと一致するように選択される、請求項１０に記載の透過型ターゲットＸ線管。
【請求項１２】
実質的に添付図面の図１、図１ａ及び図１ｂ、図２、図３又は図４に示される構成に関する透過型ターゲットＸ線管。
【発明の詳細な説明】
【技術分野】
【０００１】
本発明はＸ線管に関し、特に、管ハウジング内で生成される熱量の制御に関する。
【背景技術】
【０００２】
電子放出器と、電子放出器に対して正電位（たとえば、１００ｋＶ）に保持される金属陽極とを備えるＸ線管を設けることが知られている。放出器からの電子は、電界の影響下で陽極の方に加速される。陽極に達すると、電子は、陽極に対してその運動エネルギーの一部又は全てを失い、このエネルギーの９９％以上が熱として放出される。この熱を除去するために、陽極の細心の設計が必要とされる。
【０００３】
低い初期エネルギーで陽極から後方散乱する電子は、その運動エネルギーがゼロに低下するまで、電子源の方に電位線を戻って行く。電子は、その後、陽極の方に戻るよう加速され、その運動エネルギーが、さらなる熱（すなわち、Ｘ線）の生成を生じる。
【発明の開示】
【発明が解決しようとする課題】
【０００４】
より高いエネルギーの陽極から散乱する電子は、陽極で終わる電位線を脱出し、管ハウジングの方へ進み始める可能性がある。ほとんどのＸ線管では、電子は、高い運動エネルギーを持って、ハウジングに達する可能性があり、結果として生じるハウジングの局所加熱によって、管の故障の可能性がある。
【課題を解決するための手段】
【０００５】
本発明は、電子源を設けるように構成される陰極と、陰極に対して正電位に保持される陽極であって、陰極からの電子を、陽極に衝当するように加速し、それによって、Ｘ線を生成するように構成される陽極と、減速電極であって、陽極に対して負電位に保持され、それによって、陽極と減速電極の間に電界を生成し、電界は、陽極から散乱した電子を減速させ、それによって、電子が管内で生成し得る熱量を減少させることができる減速電極とを備えるＸ線管を提供する。
【０００６】
好ましくは、減速電極は、陰極に対して正電位に保持される。
【０００７】
好ましくは、減速電極は、減速電極によって収集される電子が、減速電極から伝導することができるように電気回路の一部を形成し、それによって、減速電極の電位をほぼ一定に維持する。
【０００８】
Ｘ線管は、陽極及び陰極を閉囲するハウジングを含んでもよく、ハウジングの少なくとも一部は、減速電極を形成してもよい。代替的に、減速電極は、陽極とハウジングの間に位置し、それによって、電子がハウジングに達する前に電子を減速させてもよい。
【０００９】
陽極は、好ましくは、陽極より小さい原子番号の裏材層上に支持される。好ましくは、陽極は、約５ミクロン以下の厚みを有する。
【００１０】
本発明の好ましい実施形態について、添付図面を参照して説明する。
【発明を実施するための最良の形態】
【００１１】
図１を参照すると、Ｘ線管は、陰極１２の形態の電子源及び薄膜陽極１４を閉囲するハウジング１０を備える。陽極は、小さい原子番号の材料、この場合、ボロンの裏材１４ｂ上に支持された、大きな原子番号のターゲット材料、この場合、タングステンの薄膜１４ａを備える。熱伝導性が高く電子と相互作用する確率が低いため、ボロンが適しており、両方とも、陽極１４における熱の蓄積を減少するのに役立つ。タングステンの薄膜１４ａは０．１〜５ミクロンの厚みを有してもよく、裏材１４ｂは１０〜２００ミクロンの厚みを有する。陰極１２と陽極１４は、陰極１２を陽極１４に対して一定の負電位、この場合、−１００ｋＶに維持する電気回路１５内に接続される。これは、陽極を一定の正電位に、且つ陰極を一定の負電位か接地電位のいずれかに保持することによって達成される。ハウジング１０は、陽極に対して陰極とは反対側に、ハウジングを貫通する第１窓１６、及び、陽極１４と陰極１２の間の一方の側に第２窓１８を有する。ハウジング１０内には、陽極１４と第１窓１６の間、すなわち、陽極１４に対して陰極１２とは反対側に、減速電極２０も位置する。減速電極は、薄膜陽極１４及び第１窓１６にほぼ平行に延びる、１００〜５００ミクロンの厚みを有するステンレス鋼箔のシートの形態である。モリブデンシートも使用される可能性がある。減速電極２０もまた、電気回路内に接続され、陰極１２に対して正であるが、陽極１４よりずっと小さい一定電位（この場合、陰極に対して１０ｋＶである）に保持される。
【００１２】
使用時、陰極１２で生成された電子１１は、陰極１２と陽極１４の間の電界によって陽極１４の方へ電子ビーム１３として加速される。一部の電子１１は、光電効果によって陽極１４と相互作用して、Ｘ線１５が生成され、Ｘ線は、入射電子ビーム１３と平行な方向において第１窓１６を通して、又は、入射電子ビーム１３の方向にほぼ垂直な方向において第２窓１８を通して収集される可能性がある。Ｘ線は、実際には、陽極からほぼ全方向に放出されるため、窓１６、１８から離れた全てのエリアにおいて、ハウジング１０によって遮蔽される必要がある。
【００１３】
電子は、エネルギーが大きくなればなるほど、光電効果によって陽極１４と相互作用する可能性が高くなる。その結果、任意の電子と陽極１４の最初の相互作用は、蛍光光子を生じる可能性が最も高い相互作用である。ターゲットで散乱する電子は、制動放射Ｘ線光子を生成する可能性があるが、その光子は、通常、（特に、タングステン等の大きな原子番号のターゲットからの）蛍光光子よりエネルギーが小さいであろう。したがって、ほとんどのイメージング用途については、光電相互作用から生じるＸ線が好ましい。
【００１４】
モンテカルロの考察を利用して、実質的に全ての蛍光光子が、ターゲット１４での最初の電子相互作用から生じることを示すことが可能である。最初の相互作用が蛍光光子をもたらさない場合、その後の任意の相互作用が蛍光光子をもたらすことになる可能性は非常に小さい。タングステン等の大きな原子番号の材料では、最初の電子相互作用は、通常、陽極表面の非常に近くで、たとえば、表面の１ミクロン以内で起こる。したがって、蛍光放射と制動放射の比を最大にするために薄いターゲット１４を使用することが有利である。さらに、そのような薄いターゲット１４において消費される熱は低い。
【００１５】
薄いターゲット１４内で相互作用しない電子は通常、電子源１２からターゲット１４に入る時にビーム１３で描いていたのと同じ直線軌道を進み続けることになる。陽極１４を通過する電子は、陽極１４と減速電極２０の間の電位によって生じる、陽極１４の背後の領域の電界強度によって抑制されるため、減速するであろう。電子が、減速電極２０において相互作用する時、電子は、低い運動エネルギーを有し、その結果、ほんのわずかの熱エネルギーが電極に堆積する。付加的な電極が電子源１２に対して１０ｋＶの電位にあるが、陽極１４が電子源１２に対して１００ｋＶにあるこの実施形態では、Ｘ線管における総熱電力消費は、従来の厚みのターゲットＸ線源の電力消費の約１０％になるであろう。
【００１６】
窓１６を通過するＸ線はまた、減速電極２０を通過しなければならない。この場合、減速電極２０は、陽極１４で生成されるＸ線をできる限り少なく遮蔽することを確実にすることが重要である。図１ａを参照すると、減速電極２０のＸ線減衰係数μは、全体的にＸ線エネルギーが増加するに伴い減少するが、急激な不連続部を有し、Ｘ線減衰係数μは、減少し続ける前に急激に増加する。これによって、不連続部よりわずかに小さいエネルギーにおいて最小減衰の領域が生じる。図１ｂを参照すると、陽極で生成されるＸ線のエネルギーは、放射の制動放射成分により、エネルギーが増加するに伴って着実に減少するが、蛍光Ｘ線の生成に対応するピークエネルギーで急激なピークを有する。減速電極２０を通過する蛍光Ｘ線の比率を最大にするために、減速電極における最小減衰のエネルギーは、ピークＸ線エネルギーに対応するように選択される。たとえば、Ｋα１＝５９．３ｋｅＶ及びＫα２＝５７．９８ｋｅＶのエネルギーで蛍光Ｘ線を生成するタングステンターゲットを用いる場合、５９．７ｋｅＶ及び６１．１ｋｅＶで吸収エッジを有し、したがって、５９．３ｋｅＶのエネルギーでＸ線に対してほぼ透明であり、５７．９８ｋｅＶのエネルギーでＸ線に対して透明の程度が小さいレニウム減速電極を使用することができる。
【００１７】
図２を参照すると、本発明の第２の実施形態では、陰極１１２及び陽極１１４は、電子ビーム１１３が、所定の視射角で陽極１１４と相互作用するように構成される。このタイプの構成では、陽極１１４に堆積するエネルギーは、従来の反射型陽極Ｘ線管に比べてかなり減る。モンテカルロモデリングを使用すると、この幾何形状の使用によって、Ｘ線出力がほとんど影響を受けないことを示すことができる。しかしながら、前方向に陽極１１４を脱出する電子の数は大きい。したがって、管ハウジング１１０内に堆積した熱エネルギーが許容レベルまで減少するよう前方向に向いた散乱電子を減速するために、減速電極１２０が設けられる。この配置構成のＸ線は、第１窓１１６であって、Ｘ線が、窓１１６に達するために減速電極１２０を通過しなければならないように減速電極１２０の背後にある、第１窓１１６、又は、ハウジング１１０の陽極１１４に面する側の第２窓１１８を通して収集されることができる。第１の実施形態と同様に、ハウジング１１０は、窓１１６、１１８を通る以外の方向に放出されるＸ線を遮蔽する。
【００１８】
図３を参照すると、本発明の第３の実施形態では、電子源２１２からの電子ビーム２１３は、通常の反射陽極２１４を照射するのに使用される。ここで、陽極２１４及び電子源２１２は、減速電極２２０によって閉囲される。この実施形態では、減速電極２２０は、金属箔で構成されるが、導電性メッシュも同様に使用される可能性がある。減速電極２２０は、陽極２１４に対しては負電位に保持されるが、電子源２１２に対しては正電位に保持される。やはり、陽極２１４からの高エネルギー散乱電子は、陽極２１４と減速電極２２０の間の電界において減速されることになり、したがって、Ｘ線管の総熱負荷が減少する。
【００１９】
減速電極２２０の電位を設定するために、減速電極２２０は、管内で、全ての要素から電気絶縁され、その後、抵抗器Ｒによって陽極２１４の電位＋ＨＶに接続される。電子が減速電極２２０に達すると、電流Ｉが、陽極電源に戻るように抵抗器Ｒを通って流れ、電極の電位は、陽極に対して負に減少することになる。この状況で、減速電極の電位は、管の動作特性によって影響を受け、或る程度、自己調整することになる。こうした手法は、図１及び図２に示す減速電極についても使用される可能性がある。
【００２０】
図４を参照すると、本発明の第４の実施形態では、Ｘ線管の全体の容器３１０は、容器を導電性材料で作り、Ｘ線管容器３１０の電位を電子源３１２に対してわずかに正に固定することによって、減速電極３２０として使用される。
【図面の簡単な説明】
【００２１】
【図１】本発明の第１の実施形態によるＸ線管の図である。
【図１ａ】図１の管の減速電極の減衰特性を示すグラフである。
【図１ｂ】図１の管の陽極によって生成されるＸ線のエネルギーを示すグラフである。
【図２】本発明の第２の実施形態によるＸ線管の図である。
【図３】本発明の第３の実施形態によるＸ線管の図である。
【図４】本発明の第４の実施形態によるＸ線管の図である。
【図１】
2006524891.tif 000003
【図１ａ】
2006524891.tif 000004
【図１ｂ】
2006524891.tif 000005
【図２】
2006524891.tif 000006
【図３】
2006524891.tif 000007
【図４】
2006524891.tif 000008
【国際調査報告】
2006524891.tif 000009
2006524891.tif 000010
2006524891.tif 000011